【事件の表示】
　特願２０００−２５０３８９「画像形成装置」拒絶査定に対する審判事件［平成１３年　４月１３日出願公開、特開２００１−１０３３０８］について、次のとおり審決する。
【結　論】
　本件審判の請求は、成り立たない。
【理　由】
１．手続の経緯・本願発明
　本願は、平成２年１１月２９日に出願した特願平２−３３３２１７号の一部を平成１２年８月２１日に新たな特許出願としたものであって、その請求項１に係る発明は、平成１５年７月２８日付けの手続補正書により補正された明細書及び図面の記載からみて、本願の特許請求の範囲の請求項１に記載されたとおりの次のものと認める。（以下、「本願発明」という）
「【請求項１】　原稿を読み取った画像データを形成する第１のドットのドットデータおよび該第１のドットと隣接する第２のドットのドットデータを、前記第１のドットおよび前記第２のドットの２ドットごとに、書込みデータに変換し、該変換した書込みデータを画像形成部に出力して画像形成をおこなう画像形成装置において、
　前記第１のドットのドットデータと前記第２のドットのドットデータを加算する加算手段と、
　前記加算手段により加算されたデータを、所定の基準値と比較し、前記加算手段により加算されたデータが前記所定の基準値以下となる場合には、前記第２の書き込みデータのドットデータを前記第１の書き込みデータに移設して、前記第１の書き込みデータのドットデータのみからなる書込みデータを生成する生成手段と、
　を備えたことを特徴とする画像形成装置。」
　
２．引用例
　これに対して、原査定の拒絶の理由に引用された、本願のもとの特許出願日前の他の出願であって、その出願後に出願公開された、特願平２−１１８７５号（特開平３−２１７１６８号公報参照）の願書に最初に添付された明細書又は図面（以下「先願明細書」という。）には、次のことが記載されている。
　（ア）「（１）多値画像データを２値化して画像を形成する画像形成装置において、
多値画像データの隣接する２画素データに対し加算演算を行う演算手段と、
該演算手段での演算値に従って２画素データのデータ変換を行う変換手段と、
該変換手段で変換されたデータを２画素データとして特定する特定手段と、
該特定手段で特定された２画素データを２値化して画像を形成する画像形成手段とを有することを特徴とする画像形成装置。
　　　　（２）前記特定手段は、２値画像データの濃度勾配を検出する検出手段を含み、
　該検出手段での結果に応じて変換データを特定することを特徴とする請求項第１項に記載の画像形成装置。」（先願公開公報の１頁下左欄５行〜同頁下右欄４行）
　（イ）「［産業上の利用分野］
　本発明は画像形成装置に関し、特に多値の画像データをパルス幅変調により２値化して像形成を行う画像形成装置に関するものである。」（先願公開公報の２頁上左欄２〜５行）
　（ウ）「［発明が解決しようとしている課題］
　しかしながら、上記従来例では、文字等の線画をパルス幅変調すると、そのエツジ部が段階状のギザギザになつたり、画像データの解像度が低下する等の問題があつた。
　本発明は上記従来例に鑑みてなされたもので、多値画像の解像度を低下させることなく、高品位な再生画像が得られる画像形成装置を提供することを目的とする。」（先願公開公報の２頁上右欄４〜１２行）
　（エ）「＜構成の説明（第１図、第４図）＞
　第１図は、本実施例でのレーザビームプリンタの画像信号処理部の概略構成を示すブロツク図である。
　図中、１０１はビデオデータ出力部であり、不図示のＣＣＤセンサやビデオカメラからの画像データをＡ／Ｄ変換し、濃度情報を含む所定ビツト（本実施例では８ビツト）のデジタル多値画像データ１１４を同期クロツク（ＲＣＬＫ）１１５に同期して出力している。そして、このデジタル画像データ１１４は、一旦バツフアメモリ１０２に格納され、タイミング信号発生回路１１２からの水平同期信号（ＨＳＹＮＣ）とビデオクロツク信号（ＶＣＬＫ）に同期して、８ビツトのビデオデータ１１６として読出される。また、バツフアメモリ１０２を介することにより、ビデオデータ出力部１０１よりの画像データの同期ずれや速度変換が行われている。
　バツフアメモリ１０２から読出されたビデオデータ１１６はルツクアツプテーブル（ＬＵＴ）１０３において、本レーザビームプリンタの潜像及び現像の特性に合わせた階調に補正された後、加算演算回路１２９及び濃度勾配検出回路１３０に入力される。まず、加算演算回路１２９では、後述するパターンパルス信号１２３の一周期内の２画素データの加算を行い、加算値が画像データの最大値（本実施例では［ＦＦＨ］）以下の時には、その加算値をポート１３１に出力し、“０”をポート１３２に出力する。また、加算値が最大値より大きい時には、その最大値をポート１３１に出力し、加算値と最大値の差分をポート１３２に出力する。
　次に、濃度勾配検出回路１３０では、上述の加算演算回路１２９に同期して２画素の濃度勾配を検出し、２画素のうちの大きい方のデータの時には、セレクト回路１０４がＡ側を選択する信号を出力し、小さい方のデータの時には、Ｂ側を選択する信号をセレクト回路１０４に出力する。このセレクト回路１０４で選択されたデータ１１９はＤ／Ａ変換器１０５に入力され、このＤ／Ａ変換器１０５によりアナログビデオ信号１２０に変換され、コンパレータ１０６の一方の入力端子へと入力される。またコンパレータ１０６のもう一方の入力端子には、アナログビデオ信号１２０を２値化（ＰＷＭ変調）するためのパターンパルス１２３が入力される。そしてコンパレータ１０６から出力された変調信号（ＰＷＭ信号）１２４はゲート回路１０７を介してレーザドライバ１０８に入力される。
　ここで、レーザドライバ１０８は、入力された変調信号１２５のパルス幅に対応する時間だけ、半導体レーザ１０９を定電流駆動する。そして、この半導体レーザ１０９より発せられたレーザ光が感光体上を走査し、電子写真プロセスによって複写画像を形成する。」（先願公開公報の２頁下右欄９行〜３頁下左欄１５行）
　（オ）「［発明の効果］
　以上説明したように、本発明によれば、文字等の線画の輪郭部の不鮮明さがなくなり、高品位な再生画像が得られるという効果がある。」（先願公開公報の５頁上右欄３〜６行）
　
　先願明細書記載の発明
　先願明細書の特許請求の記載からみると、請求項２に「前記特定手段は、２画素データの濃度勾配を検出する検出手段を含み、該検出手段での結果に応じて変換データを特定することを特徴とする請求項１項に記載の画像形成装置。」と記載されている。これより、請求項１の画像形成装置の特定手段において、濃度勾配検出手段は必須の構成要件ではない。
　これより、請求項１に対応する実施例としては、先願明細書の詳細な説明に記載されている実施例において、濃度勾配検出回路１３０を無くしたものが考えられるから、これらを抜き出して纏めてみると次のようになる。
「文字等を読取る不図示のＣＣＤセンサからの画像データをＡ／Ｄ変換し、濃度情報を含む所定ビツト（本実施例では８ビツト）のデジタル多値画像データ１１４を同期クロツク（ＲＣＬＫ）１１５に同期して出力するビデオデータ出力部１０１と、
　このデジタル画像データ１１４を一旦格納し、タイミング信号発生回路１１２からの水平同期信号（ＨＳＹＮＣ）とビデオクロツク信号（ＶＣＬＫ）に同期して、８ビツトのビデオデータ１１６として読出すバツフアメモリ１０２と、
　バツフアメモリ１０２から読出されたビデオデータ１１６を本レーザビームプリンタの潜像及び現像の特性に合わせた階調に補正するルツクアツプテーブル（ＬＵＴ）１０３と、
　後述するパターンパルス信号１２３の一周期内の隣接する２画素データの加算を行い、加算値が画像データの最大値（本実施例では［ＦＦＨ］）以下の時には、その加算値をポート１３１に出力し、“０”をポート１３２に出力し、また、加算値が最大値より大きい時には、その最大値をポート１３１に出力し、加算値と最大値の差分をポート１３２に出力する加算演算回路１２９と、
　ポート１３１に接続されれたＡ側と、ポート１３２に接続されたＢ側とを選択するセレクト回路１０４と、
　このセレクト回路１０４で選択されたデータ１１９が入力されるＤ／Ａ変換器１０５と、
　このＤ／Ａ変換器１０５により変換されたアナログビデオ信号１２０が一方の入力端子へと入力され、もう一方の入力端子には、アナログビデオ信号１２０を２値化（ＰＷＭ変調）するためのパターンパルス１２３が入力されるコンパレータ１０６と、
　そしてコンパレータ１０６から出力された変調信号（ＰＷＭ信号）１２４がゲート回路１０７を介して入力され、入力された変調信号１２５のパルス幅に対応する時間だけ、半導体レーザ１０９を定電流駆動し、この半導体レーザ１０９より発せられたレーザ光が感光体上を走査し、電子写真プロセスによって複写画像を形成するレーザドライバ１０８と
を有する画像形成装置。」
　
　ここで、先願明細書の請求項１の記載は次のようである。
「多値画像データを２値化して画像を形成する画像形成装置において、
多値画像データの隣接する２画素データに対し加算演算を行う演算手段と、
該演算手段での演算値に従って２画素データのデータ変換を行う変換手段と、
該変換手段で変換されたデータを２画素データとして特定する特定手段と、
該特定手段で特定された２画素データを２値化して画像形成する画像形成手段とを有することを特徴とする画像形成装置。」
　　
　そこで、先願明細書の請求項１の記載と、先願明細書記載の実施例の記載とを参照して、先願明細書に記載されている発明を認定すると、次のようになる。
「文字等を読取るＣＣＤセンサからの多値画像データを２値化してレーザドライバ１０８にて画像を形成する画像形成装置において、
　多値画像データの隣接する２画素データに対し加算演算を行う演算手段と、
　該演算手段での演算値に従って、加算値が画像データの最大値以下の時には、その加算値をポート１３１に出力し、“０”をポート１３２に出力し、また、加算値が最大値より大きい時には、その最大値をポート１３１に出力し、加算値と最大値の差分をポート１３２に出力するように、２画素データのデータ変換を行う変換手段と、
　該変換手段で変換されたデータを、セレクト回路１０４によりポート１３１に接続されれたＡ側と、ポート１３２に接続されたＢ側とを選択すことにより、２画素データとして特定する特定手段と、
　該特定手段で特定された２画素データをコンパレータ１０６により２値化して画像形成するレーザドライバ１０８等の画像形成手段と
を有することを特徴とする画像形成装置。」
　
３．対比
　本願発明と先願明細書に記載された発明とを対比すると、
先願発明の「多値画像データ」は、本願発明の「画像データ」に、
先願発明の「多値画像データの隣接する２画素データ」は、本願発明の「原稿を読み取った画像データを形成する第１のドットのドットデータおよび該第１のドットと隣接する第２のドットのドットデータ」に、
先願発明の「画像形成手段」は、本願発明の「画像形成部」に、
先願発明の「加算演算を行う演算手段」は、本願発明の「加算手段」に、
先願発明の「変換手段と特定手段」は、本願発明の「生成手段」に、
先願発明の「最大値」は、本願発明の「所定の基準値」に、
先願発明の「２画素データ」は、本願発明の「書込みデータ」に、
それぞれ相当し、
さらに、画像形成部を画像形成装置に含めるか、含めないかは表現上の問題であるから、
両者の一致点及び形式上の相違点は、次のとおりである。
〈一致点〉
「原稿を読み取った画像データを形成する第１のドットのドットデータおよび該第１のドットと隣接する第２のドットのドットデータを、前記第１のドットおよび前記第２のドットの２ドットごとに、書込みデータに変換し、該変換した書込みデータを画像形成部に出力して画像形成をおこなう画像形成装置において、
　前記第１のドットのドットデータと前記第２のドットのドットデータを加算する加算手段と、
　前記加算手段により加算されたデータを、所定の基準値と比較し、前記加算手段により加算されたデータが前記所定の基準値以下となる場合には、一方の書き込みデータのドットデータを他方の書き込みデータに移設して、加え合わせた書き込みデータのドットデータのみからなる書込みデータを生成する生成手段と、
　を備えたことを特徴とする画像形成装置。」
である点。
〈形式上の相違点〉
　本願発明では、加算されたデータが前記所定の基準値以下となる場合には、第２の書き込みデータのドットデータを第１の書き込みデータに移設して、第１の書き込みデータのドットデータのみからなる書込みデータを生成するのに対して、
　先願明細書に記載されたものでは、加算値に従って、加算値が画像データの最大値以下の時には、その加算値をポート１３１に出力し、“０”をポート１３２に出力するように、２画素データのデータ変換を行い、該変換されたデータを、選択すことにより、２画素データとして特定する点。
　
４．当審の判断
　上記相違点について検討すると、
　セレクト回路で、セレクトを行うか、あるいは、どのようにセレクトするかは、当業者が適宜選択することができることであるから、先願発明には、セレクト回路のセレクトを固定することも含まれる。このように、先願明細書において、加算値が画像データの最大値以下の時に、その加算値をポート１３１に出力し、０をポート１３２に出力するようにし、セレクト回路から出力される信号を固定して、まず、一方に画素データとして加算値を出力し、他方の画素データとして０を出力することは先願明細書に含まれる。
　したがって、本願発明の、加算されたデータが前記所定の基準値以下となる場合には、第２の書き込みデータのドットデータを第１の書き込みデータに移設して、第１の書き込みデータのドットデータのみからなる書込みデータを生成することは、先願明細書に実質的に含まれているものと認められる。
　
５．むすび
　したがって、本願発明は、先願明細書に記載された発明と同一であり、しかも、本願発明の発明者が上記先願明細書に記載された発明の発明者と同一であるとも、また、本願の出願時に、その出願人が上記他の出願人と同一であるとも認められないので、本願発明は、特許法第２９条の２第１項の規定により特許を受けることができない。
　よって、結論のとおり審決する。